(57)【要約】【課題】  従来の男性用避妊具（コンドーム）は、性病感染及びライフコントロールを目的としたものが全てであり、ストレスの増加や体力の衰えによる中高年以上の男性及びＥＤ関係者の持つ男性の性機能の減衰及び低下の抑制、維持、回復及び向上を図った簡便かつ有効な男性用避妊具（コンドーム）がなかったために、彼等は社会生活（特に性生活）に対する不便さ及び不安を強いられている。【解決手段】  従来のラテックス製の男性用避妊具（コンドーム）の入口部分の太い輪状の部分に、男性器の血行を促進して機能低下の抑制、維持、回復及び向上が図れる磁力を持つ微粉末状又は粉末状又は微細な球状又は棒状又は弓状の着磁された強磁性体を含有させ一体化させたことで、簡便かつ有効なマグネットコンドームとなり、その磁力によって男性器の血行を促進させ、男性の性機能の減衰及び低下を抑制するとともに、その機能回復及び向上を図ることができる。【選択図】  図１
2005342466.tif 000002
【特許請求の範囲】
【請求項１】
従来のラテックス製の男性用避妊具（コンドーム）の入口部分の太い輪状の部分に、男性器の機能低下の抑制、維持、回復及び向上を図るために、微粉末状又は粉末状又は微細な球状又は棒状又は弓状の強磁性体（着磁された希土類磁石。焼結磁石、サマリウムコバルト磁石をも含む。以下では省略する。）を含有させて、一体的な形状としたマグネットコンドーム。
【請求項２】
従来の男性用避妊具（コンドーム）に、男性器の血行促進及び機能回復を図るために必要な磁力を持つ着磁された強磁性体を含有させて一体化した請求項１記載のマグネットコンドーム。
【請求項３】
男性の性機能の減衰及び低下を抑制するとともに、その機能回復及び向上を図るための請求項１記載のマグネットコンドーム。
【発明の詳細な説明】
【技術分野】
【０００１】  本発明は、磁力効果によって男性の性機能低下を抑制するとともに、その機能回復及び向上を図ったマグネットコンドーム。
【背景技術】
【０００２】  従来のラテックス製の男性用避妊具（コンドーム）においては、ゴムの特性である延伸性及び防水性を追求したものが多く、また表面処理又は芳香性を加えたものが主流であり、男性用避妊具（コンドーム）自体と磁気性のあるものを一体化したものには、それ全体に磁性粉（希土類磁石）を練り込ませて、使用後処理のための簡便化を図っているものが特許公報にはあるが、これはコンドームの全ての部分に単に強磁性体を練り込んだものでしかなく、男性器の機能促進のための血行促進に必要な磁力（磁束密度）を全く考慮していない。さらに、商品化には至っていない。
【特許文献１】特開２００２−２８２２９３  公報
【０００３】  また、男性用避妊具（コンドーム）とは関係ないが、磁力を用いて男性の勃起力保持を目的としたものが一般に市販されているが、これは、平板状のリング体に加工されたシリコンゴムに、ネジウム磁石（希土類磁石）の小片を放射状に間隔を持って配置されているものである。
【非特許文献１】「マグリング」不二ライフ株式会社、インターネットＨＰ
【発明の開示】
【発明が解決しようとする課題】
【０００４】  以上に述べた従来の男性用避妊具（コンドーム）には、性病感染及びライフコントロールを目的としたものが全てであり、ストレスの増加や体力の衰えによる中高年以上の男性及びＥＤ関係者の持つ男性の性機能の減衰及び低下に対する簡便及び有効な男性用避妊具（コンドーム）がないために、社会生活（特に性生活）に対する不便さ及び不安を強いられているものである。【０００５】  本発明は、このように従来の男性用避妊具（コンドーム）が有していた問題を解決しようとするものであり、磁力によって男性機能の減衰及び低下を抑制するとともに、その機能回復及び向上を図ることのできるマグネットコンドームを実現することを目的とするものである。
【課題を解決するための手段】
【０００６】  本発明は、上記目的を達成するために、従来のラテックス製の男性用避妊具（コンドーム）の入口部分の太い輪状の部分に、男性器の機能低下の抑制、維持回復及び向上に必要な血行促進に必要な磁力（磁束密度）を持つ、微粉末状又は粉末状又は微細な球状又は棒状又は弓状の着磁された強磁性体を含有させて一体化させたものである。【０００７】  また、上記の解決手段による作用は次の通りである。すなわち、男性器の根幹部における血行を磁力によって促進させることで、不要な緊張を原因とする勃起力及びその保持力の低下或いは老齢化による体力の減衰による血流促進作用の低下を抑制し、その機能を維持し、そして回復及び向上を図ることができるものである。
【発明の効果】
【０００８】  上述したように本発明のマグネットコンドームは、磁力によって男性器の血行を促進することで男性の性機能の減衰及び低下を抑制し、その機能の維持回復及び向上を図ることで、社会生活（特に性生活）の充実に寄与するのみならず、このマグネットコンドームの装着率の向上が図られることで、従来からの目的であった性病感染対策及びライフコントロールにも寄与するものである。
【発明の実施するための最良の形態】
【０００９】  以下、本発明の実施の形態を図１から図４に基づいて説明する。
【００１０】  図において、１は磁力によって男性器の血行を促進することでその機能維持、回復及び向上を図るマグネット式の男性用避妊具（コンドーム）、すなわちマグネットコンドームである。まず２は従来のラテックス製の男性用避妊具（コンドーム）の本体と同じものであるが、３の入り口部分の太い輪状の中に、着磁された４の微粉末状又は粉末状の強磁性体を含有し、又は着磁された５の微細な球状の強磁性体を含有し、又は着磁された６の棒状又は弓状の強磁性体を含有したマグネットコンドーム１とする。
【００１１】  これは、男性器の根本部分での血行を磁力によって促進させ、末端の血管まで血液を行き渡らせることで、結果として勃起力や保持力などの男性の性機能の低下を抑制し維持し回復させて、更に向上させることを図ろうとしたものである。
【００１２】  そのために、装着時間及び手間などに戸惑ってはならないことから、簡単かつ利便性を優先させるために、従来の男性用避妊具（コンドーム）と磁力を発する強磁性体を一体としたものである。その際、ラテックス製のゴムと着磁された強磁性体４，５及び６の一体化については、従来のものと違和感のない工夫をするために、着磁された強磁性体を微粉末状又は粉末状のもの４としたり、微細な球状としたもの５としたり、また棒状又は弓状としたもの６の形状で男性用避妊具（コンドーム）の入り口部分の太い輪状の部分に含有させたものである。
【００１３】  また、４、５及び６の強磁性体の磁力においては、法律の規定範囲内に準拠した強さであって、男性器の血行を促進することのできる強さのものとする。
【図面の簡単な説明】
【００１４】
【図１】本発明の実施形態を示すマグネットコンドームの断面図
【図２】図１におけるＡ−Ａ線断面図（微粉末状又は粉末状の強磁性体を含有したもの）
【図３】図１におけるＡ−Ａ線断面図（微細な球状の強磁性体を含有したもの）
【図４】図１におけるＡ−Ａ線断面図（棒状又は弓状の強磁性体を含有したもの）
【符号の説明】
【００１５】１  マグネットコンドーム
２  従来の男性用避妊具（コンドーム）の本体と同じもの
３  コンドームの入り口部分の太い輪状の部分
４  微粉末又は粉末状の強磁性体
５  微細な球状の強磁性体
６  棒状又は弓状の強磁性体
【図１】
2005342466.tif 000003
【図２】
2005342466.tif 000004
【図３】
2005342466.tif 000005
【図４】
2005342466.tif 000006